(57)【要約】【課題】衣服にマスク部を設けて、粉塵等の通過を阻止するフィルタ機能を備えさせる。【解決手段】衣服本体１２の襟部１４の内側に、少なくとも着用者の顔面の鼻および口を含む部分を環状に覆い得るカバー部材１６を着脱自在に配設する。このカバー部材１６は、帯状の本体部３０と、該本体部３０の一端部３０ａに設けられて鼻および口を覆うマスク部３２とから構成される。マスク部３２の表面部３８は、粉塵等の通過を阻止するフィルタ機能を有した素材を前方側へ僅かに膨出させて立体的形状をなしている。そして、マスク部３２に設けられた第１係合手段５６を本体部３０の他端部３０ｂに設けられた第２係合手段に係合させることで、前記カバー部材１６は環状に連結される。【選択図】図１
2007039827.tif 000002
【特許請求の範囲】
【請求項１】
襟部(14)を備えた衣服本体(12)と、
前記襟部(14)の内側に設けられ、少なくとも顔面の鼻および口を含む部分を環状に覆うカバー部材(16)とからなり、
前記カバー部材(16)における鼻および口に対応する部位に、粉塵等の通過を阻止するフィルタ機能を備えたマスク部(32)が形成されている
ことを特徴とする衣服。
【請求項２】
前記カバー部材(16)は、前記襟部(14)に着脱自在に取付けられる帯状の本体部(30)と、該本体部(30)の一端部(30a)に設けられた前記マスク部(32)とからなり、該マスク部(32)に設けられた第１係合手段(56)を本体部(30)の他端部(30b)に設けられた第２係合手段(58)に係合させることで、カバー部材(16)を環状に連結するようになっている請求項１記載の衣服。
【請求項３】
前記本体部(30)は、長手方向へ伸縮可能に構成されている請求項２記載の衣服。
【請求項４】
前記マスク部(32)は、前方側へ僅かに膨出した立体形状に形成される請求項１〜３の何れかに記載の衣服。
【請求項５】
前記マスク部(32)の内側に、ガーゼ(50)を着脱自在に収容するガーゼ保持部(40)が設けられた請求項１〜４の何れかに記載の衣服。
【請求項６】
前記カバー部材(16)に、着用者の耳に掛けられて前記マスク部(32)を顔面にフィットさせる弾性紐(36,36)が設けられた請求項１〜５の何れかに記載の衣服。
【請求項７】
前記襟部(14)に、カバー部材(16)を収容可能な収容部(22)が設けられた請求項１〜６の何れかに記載の衣服。
【発明の詳細な説明】
【技術分野】
【０００１】
この発明は、花粉や埃の粉塵等を着用者が吸引するのを防止する機能を備えた衣服に関するものである。
【背景技術】
【０００２】
春先にかけて大量に飛散する花粉は、年々その飛散量も増加傾向にあり、花粉アレルギー患者(花粉症)は、来る飛散期に備えて花粉対策が必要となる。この花粉対策の最も一般的なものとしては、顔面に装着される花粉用のマスクが挙げられる。このマスクは、花粉の侵入を防ぐようフィルタ機能が施されたガーゼと、該ガーゼの両側部に設けられて、着用者の耳に掛けられるゴム紐とから構成されたものが一般的である(例えば、特許文献１参照)。
【０００３】
また、強風による砂埃や、災害時・作業時等の煙や粉塵を防ぐ目的で使用される防塵用のマスクも、前記花粉用のマスクと同様に、ガーゼおよびゴム紐等から構成されて、着用者の顔面に装着されるものが多い。
【特許文献１】特開２００４−１５４２０９号
【発明の開示】
【発明が解決しようとする課題】
【０００４】
ところが、このような花粉用・防塵用のマスクは、顔面に装着した際に非常に目立ってしまい、ファッション性が損なわれてしまう問題がある。従って、殊に、若い女性等は、周囲の目を気にしてこのようなマスクの装着を敬遠してしまうことが多かった。また、マスクを持参せずに外出した際に、例えば、天候の変化によって突然風が強くなり、埃や花粉等が多く飛散するようになった場合に対処できない難点もある。しかも、花粉用マスクや防塵マスクを何処かに置き忘れたり、外出時に持参するのを忘れたりしてしまうこともあった。すなわち、必要時に確実に使用するためには、このような花粉用・防塵用マスクを常に携帯しておく必要がある。
【０００５】
そこで本発明は、このような問題に鑑み、これを好適に解決するべく提案されたものであって、ファッション性を損なうことなく粉塵等の吸引を防ぎ、しかもマスクを持参し忘れると云ったことのない衣服を提供することを目的とする。
【課題を解決するための手段】
【０００６】
前記課題を解決し、所期の目的を達成するため、本発明に係る衣服は、
襟部を備えた衣服本体と、
前記襟部の内側に設けられ、少なくとも顔面の鼻および口を含む部分を環状に覆うカバー部材とからなり、
前記カバー部材における鼻および口に対応する部位に、粉塵等の通過を阻止するフィルタ機能を備えたマスク部が形成されていることを特徴とする。
【０００７】
請求項１の発明によれば、衣服に、フィルタ機能を備えたマスク部を有したカバー部材が取付けられるので、従来のマスクを常に持ち歩く必要がなく、外出時にマスクを所持し忘れると云ったこともない。また、カバー部材は襟部の内側に設けられて、衣服の一部をなしているので、カバー部材を装着しても違和感は生じ難く、ファッション性を損なうことがない。
【０００８】
請求項２に係る発明は、前記カバー部材は、前記襟部に着脱自在に取付けられる帯状の本体部と、該本体部の一端部に設けられた前記マスク部とからなり、該マスク部に設けられた第１係合手段を本体部の他端部に設けられた第２係合手段に係合させることで、カバー部材を環状に連結するようになっている。
【０００９】
請求項２の発明によれば、本体部は襟部に着脱自在に構成されるので、カバー部材が必要でない場合には襟部から取外せばよく、カバー部材が邪魔になることがない。また、第１係合手段および第２係合手段を係合させることでカバー部材は環状に連結されるので、カバー部材の顔面への装着が容易である。
【００１０】
請求項３の発明は、前記本体部を長手方向へ伸縮可能に構成した。
【００１１】
請求項３の発明によれば、カバー部材を構成する本体部は長手方向へ伸縮可能に構成されているので、装着時に顔面に確実にフィットし、隙間から粉塵等が侵入することがない。
【００１２】
請求項４に係る発明は、前記マスク部を、前方側へ僅かに膨出した立体形状に形成した。
【００１３】
請求項４の発明によれば、マスク部を立体形状にすることで、マスク部を装着した際に該マスク部が鼻や口に密着することがなく、着用者は快適に呼吸することが可能となる。
【００１４】
請求項５に係る発明は、前記マスク部の内側に、ガーゼを着脱自在に収容するガーゼ保持部を設けた。
【００１５】
請求項５の発明によれば、ガーゼ保持部にガーゼを収容させることができ、粉塵等の侵入をより確実に防ぐことが可能となる。また、ガーゼが古くなった場合には、該ガーゼを交換することができ清潔である。
【００１６】
請求項６に係る発明は、前記カバー部材に、着用者の耳に掛けられてマスク部を顔面にフィットさせる弾性紐を設けた。
【００１７】
請求項６の発明によれば、弾性紐を耳に掛けることで、マスク部をより顔面にフィットさせることが可能となり、隙間から粉塵等が侵入することが防止される。
【００１８】
請求項７に係る発明は、前記襟部に、カバー部材を収容可能な収容部を設けた。
【００１９】
請求項７の発明によれば、不使用時には、カバー部材を収容部に収容することができるので、カバー部材が邪魔になることがない。また、天候の変化等、カバー部材が突然必要となった場合に、収容部からカバー部材を取出せばよく便利である。
【発明の効果】
【００２０】
本発明に係る衣服によれば、ファッション性を損なうことなく粉塵等の吸引を防止することが可能となり、従来の如く、マスクを持参し忘れると云ったこともない。
【発明を実施するための最良の形態】
【００２１】
次に、本発明に係る衣服につき、好適な実施例を挙げて、添付図面を参照して以下に説明する。なお、実施例では、本発明に係る衣服として、ナイロン等から形成されたジャケットを一例に示すが、本発明の衣服としてはこれに限定されるものでなく、スポーツウエアやジャンパー等のアウターウエアや、外套(外着)等に適用することも可能である。また、実施例では、主として花粉対策用のジャケットとして説明するが、本発明に係る衣服を、防塵・防煙用の衣服として使用することも可能である。すなわち、本発明において粉塵等とは、花粉や塵・埃、更には煙等を含む概念であり、災害時の避難着や作業場での作業着としても、本発明の衣服を使用することが可能である。
【実施例】
【００２２】
図１は、実施例に係るジャケット(衣服)１０の略全体を示す正面図であって、このジャケット１０は、ナイロン等の保温作用を備えた素材から形成され、袖のない、所謂ノースリーブタイプのものである。ジャケット１０は、上部に襟部１４が形成されてジャケット１０の主体をなす衣服本体１２と、襟部１４の内側に着脱自在に設けられたカバー部材１６とから基本的に構成されている。
【００２３】
ジャケット１０の衣服本体１２は、正面中央部が縦方向に開放して開放部１８が形成され、該開放部１８を開閉可能なジッパー２０が設けられている。また、衣服本体１２の上部には、前記ジッパー２０の閉成時に該衣服本体１２から上方へ筒状に延出する襟部１４が設けられている。この襟部１４は、衣服本体１２と同様に、正面中央部が開放されており、前記ジッパー２０によって開閉し得るよう構成される。すなわち、図１に示すように、裾部１４は前記ジッパー２０を閉成させた際に立ち上がった状態となって、着用者の首を包囲する状態となる。襟部１４をこのような仕様とすることで、カバー部材１６を装着した際に、該カバー部材１６が目立ち難くなり、ファッション性が損なわれることが防止される。なお、図２に示すように、ジッパー２０を開放させると、襟部１４は幅方向へ拡開した状態となる。
【００２４】
襟部１４の内部には、該襟部１４の長手方向略全体に亘って収容部２２が形成されており、前記カバー部材１６を収容し得るようになっている。すなわち、図３に示すように、襟部１４は、外生地２４および内生地２６の２重の生地から構成されて、これら外生地２４と内生地２６との間にカバー部材１６を収容する収容部２２が画成されている。そして、カバー部材１６の不使用時に、該カバー部材１６を収容部２２に収容し得るようになっている。
【００２５】
また、襟部１４の下方側には、カバー部材１６を着脱自在に取付ける取付部材２８が設けられる。この取付部材２８は、図２に示すように、一方の長手方向の縁部が襟部１４の幅方向に沿って逢着された帯状の布片であって、カバー部材１６が取付けられる側の面(取付面２８ａ)に複数の取付手段２８ｂが設けられている。そして、この取付手段２８ｂに、カバー部材１６に設けられた取付手段１６ａを係合させることで、カバー部材１６は襟部１４に着脱自在に取付けられる。なお、実施例においては、前記取付手段１６ａ,２８ｂとして、スナップボタン式のものを採用している。しかしながら、この取付手段１６ａ,２８ｂとしては、スナップボタン式のものに限られず、例えば、ジッパー式のものや、面ファスナー等を使用することも可能である。
【００２６】
図４(ａ)に示すように、取付部材２８における取付面２８ａの裏面には、矩形状の面ファスナー２８ｃが設けられ、襟部１４における内生地２６の裏側(内生地２６の収容部２２側)に対応的に設けられた面ファスナー２６ａ(図２参照)と係合するよう構成される。すなわち、カバー部材１６を襟部１４の収容部２２内へ入込み、両面ファスナー２６ａ,２８ｃを貼り合わせることで、前記収容部２２の開口部は閉じられ、カバー部材１６が収容部２２内から露出しないようになっている。
【００２７】
図１に示すように、カバー部材１６は、着用者の少なくとも顔面の鼻および口を含む部分(顔面の下半分)を環状に覆うものであって、所要長さを備えた帯状の本体部３０と、該本体部３０の一端部３０ａに設けられたマスク部３２とから構成される。また、カバー部材１６は、衣服本体１２のデザイン・色等にマッチした仕様となっており、カバー部材１６を使用しても該カバー部材１６が目立ち難いようになっている。カバー部材１６の本体部３０は、前述したように、その内側下方部に複数の取付手段１６ａが設けられ(図４(ａ))、前記取付部材２８の取付手段２８ｂに係合させることで、カバー部材１６は取付部材２８に着脱自在に取付けられる。
【００２８】
また、本体部３０における中央上方側(着用時の後部側)には、カバー部材１６の周方向(幅方向)に沿って伸縮可能な伸縮部３４が形成され、カバー部材１６を環状に連結させて顔面を覆った際に、僅かな緊締力で顔面を締付け得るよう構成される。この伸縮部３４は、例えば、所要長のゴム片を本体部３０の内部に周方向に沿って設けることで構成される。但し、伸縮部３４としては、実施例に限定されず、他の構成を採用することも可能である。
【００２９】
更に、本体部３０における伸縮部３４の左右両側にゴム紐等の弾性力を備えた弾性紐３６,３６が設けられ、カバー部材１６を装着する際、両弾性紐３６,３６を着用者の耳に掛けるようになっている。これにより、カバー部材１６の緊締力がより強められて、マスク部３２を顔面に確実にフィットさせることが可能となる。更にまた、本体部３０における他端部３０ｂには、マスク部３２の開放端側に設けられた後述の第１係合手段５６と係合するスナップボタン式の第２係合手段５８が設けられている。すなわち、使用の際、第１係合手段５６を第２係合手段に係合させることで、カバー部材１６が環状(筒状)に連結されて、着用者の顔面を包囲するようになっている。
【００３０】
着用時に顔面の鼻および口を覆うよう本体部３０の一端部３０ａに設けられ、花粉の通過を阻止するフィルタ機能が備えられたマスク部３２は、図４(ｂ)および図５に示すように、略矩形状に形成された表面部３８と、該表面部３８の裏側(内側)に設けられたガーゼ保持部４０とから構成されている。表面部３８は、花粉を吸着してその通過を阻止するフィルタ機能を備えた素材(導電糸入素材)から形成されており、該表面部３８の上下中央部に縦方向の絞り部３８ｂ,３８ｂが設けられている。この絞り部３８ｂ,３８ｂを設けることで、図５に示すように、マスク部３２が前方側へ膨出した立体的形状となり、該マスク部３２とガーゼ保持部４０との間に若干の隙間Ｓが画成される。これにより、着用時にマスク部３２が鼻・口に密着して、呼吸が妨げられるのを防止し得る。また、表面部３８の内側の生地は、着用者の呼吸を阻害しないようメッシュ生地４２が採用されている。なお、実施例の表面部３８は、花粉の通過を阻止するフィルタ機能を有したものであったが、本発明に係る衣服の使用目的に応じて、表面部３８を形成する素材を変更させればよい。すなわち、例えば、本発明に係る衣服を災害時に使用する防災用衣服として使用する場合には、表面部３８を煙や粉塵の通過を阻止し得る素材から形成すればよい。
【００３１】
マスク部３２の内側に設けられるガーゼ保持部４０は、図５および図６に示すように、表面部３８側の第１生地４４と着用者の鼻・口に直接接触する第２生地４６とからなり、夫々の生地にメッシュ加工が施されている。そして、図５に示す如く、これら第１生地４４および第２生地４６の間に、ガーゼ５０を収容し得るガーゼ収容部４８が画成されている。前記第１生地４４は、その端手方向の両側部が表面部３８裏側のメッシュ生地４２に逢着されて、前述したように、第１生地４４とメッシュ生地４２との間に前記隙間Ｓが形成されている。また、第２生地４６は、端手方向の一方の側部４６ａを除く他の縁部が、第１生地４４に逢着されており、側部４６ａと第1生地４４の縁部とによって、ガーゼ５０を挿入し得るガーゼ挿入口５２が画成されている。更に、第２生地４６には、挿入されたガーゼ５０が着用者の鼻・口に直接接触するよう矩形状の開口部５４が開設されている。なお、このガーゼ５０は、花粉(粉塵等)の通過をより確実に防ぐために補助的に使用されるものであり、従来のマスク等に使用されている素材から形成される。従って、本発明に係る衣服においては、ガーゼ５０を必ずしも使用する必要はなく、ガーゼ保持部４０を省略することも可能である。また、このガーゼ保持部４０の構成は、実施例に限定されず、ガーゼ５０を着脱自在に保持し得るものであれば、他の構成に適宜変更してもよい。
【００３２】
前述したように、マスク部３２における開放端側(本体部３０と接続していない側)には、前記本体部３０の他端部３０ｂに設けられた前記第２係合手段５８と係合する第１係合手段５６が設けられている。そして、これら第１、第２係合手段５６,５８を係合させることで、図４(ｂ)に示すように、カバー部材１６は環状に連結されて、着用者の顔面における鼻・口を含む部分を覆うようになっている。すなわち、これら第１係合手段５６および第２係合手段５８は、カバー部材１６を環状に連結させるためのものである。実施例では、この第１、第２係合手段５６,５８として、スナップボタン式のものを採用した。しかしながら、カバー部材１６を連結させるための部材としては、このスナップボタン式に限定されず、ジッパー式のものや面ファスナー等、他の係合手段を適宜採用可能である。
【００３３】
(実施例の作用)
次に、実施例に係るジャケット１０の作用につき、以下に説明する。なお、当初、カバー部材１６は、収容部２２内に収容されているものとする。ジャケット１０を着用する際には、通常の衣服と同様に、前記ジッパー２０を開放させて衣服本体１２を身体に纏う。
【００３４】
次に、カバー部材１６を使用する場合には、襟部１４の内生地２６および取付部材２８の夫々に設けられた面ファスナー２６ａ,２８ｃの係合を解除し、該収容部２２内からカバー部材１６を取出す。そして、カバー部材１６を着用者の顔面に覆った状態で、図４(ｂ)に示すように、前記マスク部３２に設けられた第１係合手段５６を、本体部３０の他端部３０ｂに設けられた第２係合手段５８に係合させる。この時、図１に示すように、カバー部材１６のマスク部３２は着用者の鼻および口を覆蓋した状態となる。この時、カバー部材１６は、衣服本体１２のデザイン・色等に適応した仕様に構成されており、カバー部材１６が目立って違和感が生じることがない。また、カバー部材１６の本体部３０には伸縮部３４が設けられ、該伸縮部３４の弾性力によって着用者の顔面は僅かな緊締力で締め付けられるので、カバー部材１６は確実に顔面にフィットする。
【００３５】
次に、前記弾性紐３６,３６を着用者の耳に引っ掛ける。これにより、マスク部３２は更に顔面にフィットし、マスク部３２の周縁部と顔面との間に隙間が生じることがないので、花粉の侵入はより確実に防止される。しかも、図５に示すように、マスク部３２の表面部３８は立体的形状をなして、該表面部３８とガーゼ保持部４０との間に隙間Ｓが形成されているので、表面部３８が鼻や口に密着することはなく、着用者は快適に呼吸することが可能となる。更に、マスク部３２のメッシュ生地４２およびガーゼ保持部４０は、メッシュ加工が施されているので、通気性が確保されてムレたりすることがなく、快適に呼吸することができる。なお、前記ジッパー２０を完全に閉成させて、襟部１４を立ち上がった状態とすることで、カバー部材１６を更に目立ち難くすることが可能となる。
【００３６】
また、実施例に係るジャケット１０は、ガーゼ保持部４０にガーゼ５０を収容保持し得るので、花粉の吸引をより確実に防止することができる。なお、ガーゼ５０を交換する場合には、汚れたガーゼ５０をガーゼ保持部４０から取出し、図６に示すように、新たなガーゼ５０をガーゼ挿入口５２を介してガーゼ収容部４８に収容する。これにより、着用者は常に新鮮なガーゼ５０を使用することができ衛生的である。
【００３７】
なお、カバー部材１６を使用しない場合は、上記した手順と逆の手順でカバー部材１６を収容部２２内に収容すればよい。すなわち、前記第１係合手段５６および第２係合手段５８の係合を解除すると共に、カバー部材１６を収容部２２内に収容し、前記２つの面ファスナー２６ａ,２８ｃを係合させる。これにより、不使用時にカバー部材１６が邪魔になることがなく、従来の如く、マスクを所持し忘れると云ったこともない。更に、花粉の飛来時期が過ぎて、カバー部材１６を使用する見込みがない場合には、カバー部材１６と取付部材２８との係合を解除して、前記襟部１４からカバー部材１６を取外すことも可能である。この取り外し作業も、カバー部材１６の取付手段１６ａと取付部材２８の取付手段２８ｂとの係合を解除するだけでよく、極めて容易に取外すことができる。
【００３８】
以上に示したように、実施例に係るジャケット１０は、花粉の吸引を防止し得るカバー部材１６が襟部１４に設けられているので、カバー部材１６はジャケット１０の一部をなして目立つことがなく、従来のマスクのようにファッション性が損なわれることがない。また、カバー部材１６は襟部１４に着脱自在に設けられているので、必要時に確実に使用することができ、従来の如く、マスクを持参し忘れると云ったこともない。
【００３９】
ここで、実施例に係るジャケット(衣服)の要部を抽出すると、以下のようなる。
襟部(14)を備えた衣服本体(12)と、
前記襟部(14)の内側に着脱自在に取付けられ、長手方向へ伸縮可能な帯状の本体部(30)と、前記本体部(30)の一端部(30a)に設けられ、着用者の鼻および口を塞いで粉塵等の通過を阻止するフィルタ機能を備えたマスク部(32)とを有したカバー部材(16)とからなり、
前記カバー部材(16)は、前記マスク部(32)に設けられた第１係合手段(56)を本体部(30)の他端部(30b)に設けられた第２係合手段(58)に係合させることで環状に連結されて、少なくとも顔面の鼻および口を含む部分を覆うよう構成した
ことを特徴とする衣服。
【００４０】
なお、実施例においては、襟部１４を、筒状に立上がるよ仕様としたが、本発明の衣服としては、通常仕様の襟部であってもよい。また、実施例では、帯状のカバー部材１６を環状に連結させる構成をなしていたが、顔面の鼻および口を覆い得るものであれば、カバー部材１６を分離させずに筒状に形成してもよい。
【図面の簡単な説明】
【００４１】
【図１】本発明の好適な実施例に係るジャケットの略全体を示す正面図である。
【図２】カバー部材を取外した状態の襟部を示す拡大図である。
【図３】襟部およびカバー部材を示す縦断面図である。
【図４】カバー部材を示す拡大図であって、(ａ)はカバー部材を拡げた状態を示し、(ｂ)はカバー部材を環状に連結させた状態を示している。
【図５】カバー部材のマスク部を示す縦断面図である。
【図６】マスク部の裏側を示す拡大図である。
【符号の説明】
【００４２】
１２  衣服本体
１４  襟部
１６  カバー部材
２２  収容部
３０  本体部
３０ａ  一端部
３２  マスク部
３６  弾性紐
４０  ガーゼ保持部
５０  ガーゼ
５６  第１係合手段
５８  第２係合手段
【図１】
2007039827.tif 000003
【図２】
2007039827.tif 000004
【図３】
2007039827.tif 000005
【図４】
2007039827.tif 000006
【図５】
2007039827.tif 000007
【図６】
2007039827.tif 000008